(57)【要約】【課題】Ｄ−ＩＣの温度を低下させることのできる液晶表示装置の駆動方法及びその装置を提供する。【解決手段】データラインにデータを供給するためのデータ駆動集積回路と分離された外部電圧源から第１プリチャージ電圧と第２プリチャージ電圧を発生させる段階と、第１期間の間、前記第１プリチャージ電圧でデータラインを予め充電させる段階と、第２期間の間、第１データ信号の目標値に達するように前記データラインを充電させる段階と、第３期間の間、前記第２プリチャージ電圧で前記データラインを予め充電させる段階と、第４期間の間、第２データ信号の目標値に達するように前記データラインを充電させる段階とを含む。【選択図】図４
2007004109.tif 000002
【特許請求の範囲】
【請求項１】
データラインにデータを供給するためのデータ駆動集積回路と分離された外部電圧源から第１プリチャージ電圧と第２プリチャージ電圧を発生させる段階と、
第１期間の間、前記第１プリチャージ電圧でデータラインを予め充電させる段階と、
前記第１期間に続いて、第２期間の間、前記第１プリチャージ電圧で充電されたデータラインに第１データ信号を供給する段階と、
前記第２期間に続いて、第３期間の間、前記第２プリチャージ電圧で前記データラインを予め充電させる段階と、
前記第３期間に続いて、第４期間の間、前記第２プリチャージ電圧で充電されたデータラインに第２データ信号を供給する段階と
を含むことを特徴とする液晶表示装置の駆動方法。
【請求項２】
前記第１プリチャージ電圧で前記データラインを予め充電させる段階は、前記第１プリチャージ電圧の極性を前記データ信号と同一極性に選択する段階を含む
ことを特徴とする請求項１に記載の液晶表示装置の駆動方法。
【請求項３】
前記第２プリチャージ電圧で前記データラインを予め充電させる段階は、前記第２プリチャージ電圧の極性を前記データ信号と同一極性に選択する段階を含む
ことを特徴とする請求項１に記載の液晶表示装置の駆動方法。
【請求項４】
前記第１プリチャージ電圧でデータラインを予め充電させる段階は、正極性プリチャージ電圧で前記データラインを予め充電させる段階を含む
ことを特徴とする請求項１に記載の液晶表示装置の駆動方法。
【請求項５】
前記第１プリチャージ電圧でデータラインを予め充電させる段階は、最も低い階調に対応するピークブラック階調レベルと最も高い階調に対応するピークホワイト階調レベルとの間のグレー階調レベル電圧で前記データラインを予め充電させる段階を含む
ことを特徴とする請求項４に記載の液晶表示装置の駆動方法。
【請求項６】
前記グレー階調レベル電圧をＶＤＤ／２乃至ＶＤＤ間の電圧の範囲内で決定する段階をさらに含み、前記ＶＤＤは高電位供給電圧である
ことを特徴とする請求項５に記載の液晶表示装置の駆動方法。
【請求項７】
前記グレー階調レベル電圧はＶＤＤの３／４電圧である
ことを特徴とする請求項６に記載の液晶表示装置の駆動方法。
【請求項８】
前記第２プリチャージ電圧でデータラインを予め充電させる段階は、ピークブラック階調レベルとピークホワイト階調レベルとの間のグレー階調レベル電圧で前記データラインを予め充電させる段階を含む
ことを特徴とする請求項１に記載の液晶表示装置の駆動方法。
【請求項９】
前記グレー階調レベル電圧をＶＤＤ／２乃至ＶＤＤ間の電圧の範囲内で決定する段階をさらに含み、前記ＶＤＤは高電位供給電圧である
ことを特徴とする請求項８に記載の液晶表示装置の駆動方法。
【請求項１０】
前記グレー階調レベル電圧はＶＤＤの１／４電圧である
ことを特徴とする請求項９に記載の液晶表示装置の駆動方法。
【請求項１１】
出力バッファを通じてデータ信号をデータラインに供給するためのデータ駆動集積回路を有する液晶表示装置の駆動方法において、
前記出力バッファと前記データ駆動集積回路の出力端子との間に接続された第１スイッチをターンオフさせる段階と、
第１プリチャージ電圧の供給ラインと前記出力端子との間に接続された第２スイッチをターンオンさせて前記第１プリチャージ電圧の供給ラインを予め充電させる段階と、
第２プリチャージ電圧の供給ラインと前記出力端子との間に接続された第３スイッチをターンオンさせて前記第２プリチャージ電圧の供給ラインを予め充電させる段階とを含む
ことを特徴とする液晶表示装置の駆動方法。
【請求項１２】
前記第１スイッチをターンオンさせてデータ電圧でデータラインを充電させる段階をさらに含む
ことを特徴とする請求項１１に記載の液晶表示装置の駆動方法。
【請求項１３】
前記第１スイッチがターンオンされる間、前記第２及び第３スイッチをターンオフさせる段階をさらに含む
ことを特徴とする請求項１１に記載の液晶表示装置の駆動方法。
【請求項１４】
前記第２スイッチがターンオンされる間、前記第３スイッチをターンオフさせる段階をさらに含む
ことを特徴とする請求項１１に記載の液晶表示装置の駆動方法。
【請求項１５】
前記第１プリチャージ電圧の供給ラインを正極性プリチャージ電圧で予め充電させる段階と、
前記第２プリチャージ電圧の供給ラインを負極性プリチャージ電圧で予め充電させる段階とをさらに含む
ことを特徴とする請求項１１に記載の液晶表示装置の駆動方法。
【請求項１６】
少なくとも二つのプリチャージ電圧を発生させる外部プリチャージ電圧源と、
前記プリチャージ電圧のうち、データ信号の極性と同一な極性のプリチャージ電圧を選択し、選択されたプリチャージ電圧でデータラインを予め充電するプリチャージ部を含めたデータ駆動集積回路と
を備えることを特徴とする液晶表示装置の駆動装置。
【請求項１７】
前記プリチャージ電圧源は、液晶セルの共通電極に供給される共通電圧に対して正極性プリチャージ電圧と負極性プリチャージ電圧とを発生させる
ことを特徴とする請求項１６に記載の液晶表示装置の駆動装置。
【請求項１８】
前記正極性及び前記負極性プリチャージ電圧は、ピークブラック階調レベルとピークホワイト階調レベルとの間のグレー階調レベル電圧に設定される
ことを特徴とする請求項１７に記載の液晶表示装置の駆動装置。
【請求項１９】
前記プリチャージ部は、前記データ信号の極性に従って前記プリチャージ電圧を選択する
ことを特徴とする請求項１６に記載の液晶表示装置の駆動装置。
【請求項２０】
前記データ駆動集積回路は、出力バッファを備え、
前記プリチャージ部は、前記出力バッファの出力ラインと前記データ駆動集積回路の出力端子との間に接続された第１スイッチを備える
ことを特徴とする請求項１６に記載の液晶表示装置の駆動装置。
【請求項２１】
前記プリチャージ部は、前記正極性プリチャージ電圧の供給ラインと前記出力端子との間に接続された第２スイッチをさらに備える
ことを特徴とする請求項２０に記載の液晶表示装置の駆動装置。
【請求項２２】
前記プリチャージ部は、前記負極性プリチャージ電圧の供給ラインと前記出力端子との間に接続された第３スイッチをさらに備える
ことを特徴とする請求項２１に記載の液晶表示装置の駆動装置。
【請求項２３】
前記第１スイッチは、前記データラインが予め充電される間にターンオフされる
ことを特徴とする請求項２１に記載の液晶表示装置の駆動装置。
【請求項２４】
前記外部プリチャージ電圧源は、前記データ駆動集積回路と分離される
ことを特徴とする請求項１６に記載の液晶表示装置の駆動装置。
【発明の詳細な説明】
【技術分野】
【０００１】
本発明は液晶表示装置に関し、特にドライバーの発熱量を減少させることのできる液晶表示装置の駆動方法及び装置に関する。
【背景技術】
【０００２】
液晶表示装置は電界を用いて誘電異方性を有する液晶の光透過率を調節するによって画像を表示する。このために、液晶表示装置は、画素マトリクスを有する液晶パネルと液晶パネルを駆動するための駆動回路とを備える。
【０００３】
具体的に、液晶表示装置は、図１に示したように、画素マトリクスを有する液晶パネル１０と、液晶パネル１０のゲートラインＧＬを駆動するためのゲートドライバー１２と、液晶パネル１０のデータラインＤＬを駆動するためのデータドライバー１４と、ゲートドライバー１２とデータドライバー１４とを制御するためのタイミングコントローラ１６とを備える。
【０００４】
液晶パネル１０は、ゲートラインＧＬとデータラインＤＬとの交差により定義される領域ごとに形成された画素に構成された画素マトリクスを備える。画素の各々は、データ信号に従って光透過量を調節する液晶セルＣｌｃと液晶セルＣｌｃを駆動するための薄膜トランジスタＴＦＴとを備える。薄膜トランジスタＴＦＴは、ゲートラインＧＬのスキャン信号に応じて、データラインＤＬのデータ信号を液晶セルＣｌｃに充電し維持させる。液晶セルＣｌｃは、データ信号に従って液晶の配列状態を変えて光透過率を調節するによって階調を具現する。
【０００５】
ゲートドライバー１２は、タイミングコントローラ１６からの制御信号に応答してゲートラインＧＬに順次スキャン信号を供給する。
【０００６】
データドライバー１４は、タイミングコントローラ１６からのディジタルデータをアナログデータ信号に変換してデータラインＤＬに供給する。
【０００７】
タイミングコントローラ１６は、ゲートドライバー１２及びデータドライバー１４を制御する制御信号を供給することと共に、データドライバー１４にディジタルデータを供給する。
【０００８】
このような構成を有する液晶表示装置は高解像度及び大面積化される方向に発展しつつある。それに従って、駆動集積回路（以下、「Ｄ−ＩＣ」と称す）の駆動周波数及び負荷量が増加し、画質の向上のために駆動電圧が大きくなるに従ってＤ−ＩＣの発熱量が増加しつつある。それによって、Ｄ−ＩＣの温度が上昇するに従って信頼性が低下され、発火のような安全上の危険がもたらされる可能性があるのでＤ−ＩＣの温度を低下させることのできる方案が要求される。
【発明の開示】
【発明が解決しようとする課題】
【０００９】
従って、本発明の目的は、Ｄ−ＩＣの温度を低下させることのできる液晶表示装置の駆動方法及び装置を提供するものである。
【課題を解決するための手段】
【００１０】
前記目的の達成のため、本発明による液晶表示装置の駆動方法は、データ駆動ＩＣと分離された外部電圧源から第１プリチャージ電圧と第２プリチャージ電圧を発生させる段階と、第１期間の間、前記第１プリチャージ電圧でデータラインを予め充電させる段階と、第２期間の間、第１データ信号の目標値に達するように前記データラインを充電させる段階と、第３期間の間、前記第２プリチャージ電圧で前記データラインを予め充電させる段階と、第４期間の間、第２データ信号の目標値に達するように前記データラインを充電させる段階とを含む。
【００１１】
本発明による液晶表示装置の駆動方法は、出力バッファを含むデータ駆動ＩＣを有する液晶表示装置の駆動方法において、前記出力バッファと前記データ駆動ＩＣの出力端子の間に接続された第１スイッチをターンオフさせる段階と、第１プリチャージ電圧の供給ラインと前記出力端子の間に接続された第２スイッチをターンオンさせて前記第１プリチャージ電圧の供給ラインを予め充電させる段階と、第２プリチャージ電圧の供給ラインと前記出力端子の間に接続された第３スイッチをターンオンさせて前記第２プリチャージ電圧の供給ラインを予め充電させる段階とを含む。
【００１２】
本発明による液晶表示装置の駆動装置は、少なくとも二つのプリチャージ電圧を発生させる外部プリチャージ電圧源と、前記プリチャージ電圧の中、データ信号に対応するプリチャージ電圧を選択し、選択されたプリチャージ電圧でデータラインを予め充電するプリチャージ部を含めたデータ駆動ＩＣとを備える。
【発明の効果】
【００１３】
本発明による液晶表示装置の駆動方法及び装置は、中間階調に該当するプリチャージ電圧を用いて出力バッファの内部抵抗を経由する電流値を低減するによって、出力バッファの発熱量、それにデータＤ−ＩＣの発熱量の最小化が可能になる。
【００１４】
また、本発明による液晶表示装置の駆動方法及び装置は、プリチャージ電圧源をデータＤ−ＩＣと分離させるによって、プリチャージ電圧源による熱発生がデータＤ−ＩＣの温度に影響を与えることを防ぐことが可能になる。
【００１５】
その結果、本発明による液晶表示装置の駆動方法及び装置は、液晶パネルが高解像度及び大面積化されるとしてもデータＤ−ＩＣの温度を低減するによってデータＤ−ＩＣの信頼性の確保が可能になる。
【発明を実施するための最良の形態】
【００１６】
本発明の好ましい実施の形態の説明の前に、まず、本発明の技術的思想が案出された背景に対して説明する。
【００１７】
Ｄ−ＩＣの温度に影響を与える要因は大まかに熱発生部分と熱発散部分とに区分されるが、本発明は、熱発生部分での発熱量を低減してＤ−ＩＣの温度を低減することを目的とする。Ｄ−ＩＣの発熱は、Ｄ−ＩＣの内部における電力消耗によってエネルギーが熱に変換されて発生するものであるため、Ｄ−ＩＣの発熱量を低減するためには電力消耗を低減しなくてはならない。これに従って、本発明は、Ｄ−ＩＣで電力消耗の最も大きい部分における電力消耗を低減することのできる方案を提案する。
【００１８】
データＤ−ＩＣの内部からの熱発生は主に出力バッファ部から発生する。具体的に、出力バッファ部に含まれた多数の出力バッファはデータラインと各々接続される。出力バッファは高電位電圧ＶＤＤからの充電電流と低電位電圧ＶＳＳへの放電電流とを用いてデータラインに出力されるデータ信号がディジタル・アナログ変換器（以下、「ＤＡＣ」と称す）からの入力信号に収斂することによって、図２のように、共通電圧Ｖｃｏｍより高い正極性データ信号Ｖpdata、または共通電圧Ｖｃｏｍより低い負極性データ信号 Ｖndataをデータラインに供給する。ここで、共通電圧Ｖｃｏｍというのは、図１のように全ての液晶セルＬＣで画素電極と対向する共通電極に印加される電圧を意味する。ここで、充電電流と放電電流はデータＤ−ＩＣ内に含まれた出力バッファ内の内部抵抗を通じて流れることによって発熱量を増加させる。従って、データＤ−ＩＣの発熱量を低減するためには、出力バッファ部からの発熱、特に出力バッファの出力部からの発熱を最小化しなくてはならない。ところで、図２のように、データ信号電圧が正極性のデータ電圧Ｖpdataと負極性のデータ電圧Ｖndataとの間でスイングすると、そのスイングの幅に従って出力バッファ内の内部抵抗に流れる熱が大きくなるしかない。
【００１９】
出力バッファ部２６の発熱量を低減するために、充放電電流Ｉ１、Ｉ２の値を低減する方案とか、または出力部の内部抵抗Ｒ１、Ｒ２、Ｒ３を低減する方案が考慮されるが、本発明は、充放電電流Ｉ１、Ｉ２の値を低減する方案を提案する。特に、出力バッファ部２６の充放電電流Ｉ１、Ｉ２の値を低減するための方案としてはパネルロードＲｐ、Ｃｐを低減する方案等があるが、本発明はデータラインのプリチャージ方法を用いて充放電電流Ｉ１、Ｉ２を低減する方案を提案する。ここで、パネルロードというのは、液晶表示パネルの液晶セルを等価的に表現した静電容量Ｃｐとデータラインの配線抵抗を等価的に表現した抵抗Ｒｐとを含む。
【００２０】
出力バッファ部の充放電電流を低減することのできるデータラインのプリチャージ方法としては、図３のように、データ信号Ｖpdata,Ｖndataに先立って、データ信号Ｖpdata,Ｖndataの約半分程の電圧（チャージシェア電圧）でデータラインを予め充電させるチャージシェアリング（Ｃｈａｒｇe  Ｓｈａｒｉｎｇ）方法が代表的である。図３で、「Ｃ１〜Ｃ４」は正極性または負極性データ信号に先立って、チャージシェア電圧が充電される期間を示したものである。チャージシェアリング方法は、データ信号Ｖpdata、Ｖndataをデータラインに供給する前に、隣接するデータラインを短絡させることによって、前記チャージシェア電圧を発生する。これに従って、図３に示したデータ信号Ｖdata,Ｖndataで、点線はデータＩＣの出力バッファ部を通じてデータ信号がデータラインに供給されなく、隣接するデータラインに充電された電荷の共有によって発生されるチャージシェア電圧でデータラインが充電される部分を示し、点線は出力バッファ部２６を通じてデータ信号Ｖpdata、Ｖndataがデータラインに供給される部分を示す。このチャージシェアリング方法によっては、チャージシェアなしに正極性データ信号Ｖpdataと負極性データ信号Ｖndataとが連続的にデータラインに供給されるため電圧スイングの幅が大きくて、それによって多くの電流が出力バッファ部２６に常に流れることの反面、図３の点線部分にだけ出力バッファ部２６が駆動されるため、充放電電流Ｉ１、Ｉ２の値の低減が可能になる。しかし、大面積化でパネルロードＲｐ、Ｃｐが増加されるによって充放電電流Ｉ１、Ｉ２が増加されるため、本発明はチャージシェアリングモードより充放電電流Ｉ１、Ｉ２の値を低減することのできるデータラインの駆動方案を提案する。
【００２１】
以下、本発明の好ましい実施の形態を図４及び図５を参照して詳細に説明する。
【００２２】
図４は、本発明の実施の形態に係る液晶表示装置のデータ駆動部を示すブロック図である。
【００２３】
図４に示したデータ駆動部は、データＤ−ＩＣ４０と、データＤ−ＩＣ４０に正極性及び負極性（Ｖｃｏｍ基準）プリチャージ電圧Ｖｐｏｓ、Ｖｎｅｇを供給するプリチャージ電圧源５０とを備える。
【００２４】
プリチャージ電圧源５０は、正極性及び負極性（Ｖｃｏｍ基準）プリチャージ電圧Ｖｐｏｓ、Ｖｎｅｇを生成してデータＤ−ＩＣ４０に供給する。
【００２５】
データＤ−ＩＣ４０は、外部から入力された電源信号及び制御信号を用いてディジタルデータをアナログデータ信号に変換し、変換されたデータ信号を液晶パネルのデータラインに供給する。そのために、データＤ−ＩＣ４０は、入出力端子の間に順次接続されたロジック回路部４２、ＤＡＣ４４、出力バッファ部４６、そしてプリチャージ部４９を備える。
【００２６】
ロジック回路部４２は、外部から入力されたディジタルデータを順次サンプリングしてラッチし、ラッチされたディジタルデータをＤＡＣ４４に供給する。
【００２７】
ＤＡＣ４４は、ロジック回路部４２からのディジタルデータをガンマ電圧を用いてアナログデータ信号に変換して出力バッファ部４６に供給する。
【００２８】
出力バッファ部４６は、パネルロードに従って発生される電圧降下によって、ＤＡＣ４４から発生されるデータ信号Ｖdataの電圧降下が発生されることを防ぐために、データ信号Ｖdataの供給電流を大きくすることによってデータラインに供給されるデータ信号ＶdataをＤＡＣ４４から発生される入力信号に収斂させる。具体的に、出力バッファ部４６に含まれた複数の出力バッファ４８は、プリチャージ部４９を経由してデータラインと各々接続される。プリチャージ部４９を通じてプリチャージされた電圧から充電され始また直後に、出力バッファ４８は高電位電圧ＶＤＤラインからの充電電流Ｉ１と低電位電圧ＶＳＳラインへの放電電流Ｉ２とを用いてデータ信号ＶdataをＤＡＣ４４からの入力信号に収斂させる。この際、充電電流Ｉ１は、出力バッファ４８の第１内部抵抗Ｒ１と第２内部抵抗Ｒ３を経由して流れるようになり、放電電流Ｉ２は出力バッファ４８の第３内部抵抗Ｒ３と第２内部抵抗Ｒ２とを経由して流れるようになる。
【００２９】
プリチャージ部４９は、データ信号Ｖdataの極性に従って外部のプリチャージ電圧源５０からの正極性及び負極性プリチャージ電圧Ｖｐｏｓ、Ｖｎｅｇのうちの何れか一つを選択し、その選択されたプリチャージ電圧で図５のプリーチャージ期間Ｐ１、Ｐ３の間にデータラインをプリーチャージさせる。このために、プリチャージ部４９は、出力バッファ４８の出力ラインと接続された第１スイッチＳＷ１、正極性プリチャージ電圧Ｖｐｏｓ供給ラインとデータＤ−ＩＣ４０の出力端子の間に接続された第２スイッチＳＷ２、そして負極性プリチャージ電圧Ｖｎｅｇ供給ラインと出力端子の間に接続された第３スイッチＳＷ３を備える。このような第１乃至第３スイッチＳＷ１、ＳＷ２、ＳＷ３はデータＤ−ＩＣ４０の出力端子ごとに個別接続される。
【００３０】
第１スイッチＳＷ１はプリチャージ期間でターンオフされる。このようなプリチャージ期間において、第２スイッチＳＷ２は、図５のようにデータラインに充電されるデータ信号Ｖdataが正極性Ｖpdataである場合には、ターンオンされて充電電流Ｉｐｏｓを通じて正極性プリチャージ電圧Ｖｐｏｓをデータラインにプリチャージさせる。第３スイッチＳＷ３は、図５のようにデータラインに充電されるデータ信号Ｖdataが負極性Ｖndataである場合には、ターンオンされて放電電流Ｉｎｅｇを通じて負極性プリチャージ電圧Ｖｎｅｇをデータラインにプリチャージさせる。
【００３１】
そして、図５のデータ充電期間Ｐ２、Ｐ４に第１スイッチＳＷ１はターンオンされる。それに従って、出力バッファ４８の充放電電流Ｉ１、Ｉ２を通じてデータ信号Ｖdataがデータラインに供給され、その結果、データラインの電圧はプリチャージされた電圧ＶｐｏｓまたはＶｎｅｇからデータ信号Ｖpdata、Ｖndataの目標値まで達するようになる。
【００３２】
ここで、出力バッファ４８の充放電電流Ｉ１、Ｉ２を低減するためには、正極性及び負極性プリチャージ電圧Ｖｐｏｓ、Ｖｎｅｇは中間階調の電圧に設定される。ここで、中間階調の電圧は、正極性データ電圧において、ＶＤＤの１／２の電圧とＶＤＤとの間の電圧、好ましくはＶＤＤの３／４電圧に設定され、負極性データ電圧において、ＶＤＤの１／２乃至基底電圧ＧＮＤとの間の電圧、好ましくはＶＤＤの１／４電圧である。これはノーマリホワイトモードの液晶表示装置で正極性及び負極性プリチャージ電圧Ｖｐｏｓ、Ｖｎｅｇが高階調電圧に偏るとデータラインの電圧が低下されるようになるため、出力バッファ４８の放電電流Ｉ２が増加されて、低階調電圧に偏るとデータラインの電圧が増加されるようになるため、出力バッファ４８の充電電流Ｉ１が増加されるためである。ここで、ノーマリホワイトモードの液晶表示装置は公知された内容の通り、液晶セルに印加されるデータ信号の電圧が低い程、高階調で輝度が増加する反面、データ信号の電圧が高い程、低階調で輝度が減少される。
【００３３】
結果的に、図５に示したデータ信号ｄａｔａにおいて、点線部分に該当する中間階調の電圧まではプリチャージ部４９によって駆動され、実線部分だけが出力バッファ部４６によって駆動されるので、出力バッファ４８の充放電電流Ｉ１、Ｉ２の値をチャージシェアリングモードより低減するのが可能になる。従って、充放電電流Ｉ１、Ｉ２による出力部の内部抵抗Ｒ１、Ｒ２、Ｒ３での電力消耗を最小化するによって出力バッファ部４６、それにデータＤ−ＩＣ４０の発熱量の減少が可能になる。また、プリチャージ電圧Ｖｐｏｓ、Ｖｎｅｇによってデータ信号Ｖpdata、Ｖndataは目標値により迅速に達することが可能になるため、充電特性も向上される。
【００３４】
そして、プリチャージ電圧Ｖｐｏｓ、ＶｎｅｇによるデータＤ−ＩＣ４０の発熱を防ぐために、プリチャージ電圧源５０をデータＤ−ＩＣ４０とは別途に印刷回路基板ＰＣＢ上に位置させる。
【００３５】
以上、説明した内容を通じて、当業者なら、本発明の技術思想を逸脱しない範囲内で、多様の変更及び修正ができることが分かる。従って、本発明の技術的範囲は、明細書の詳しい説明に記載された内容で限られるのでなく、特許請求の範囲によって決められるべきである。
【図面の簡単な説明】
【００３６】
【図１】従来の液晶表示装置を示すブロック図である。
【図２】データＤ−ＩＣのデータ出力波形図である。
【図３】チャージシェアリングモードでのデータ出力波形図である。
【図４】本発明の実施の形態に係る液晶表示装置のデータ駆動装置を示すブロック図である。
【図５】図４に示すデータＤ−ＩＣのデータ出力波形図である。
【符号の説明】
【００３７】
１０：液晶パネル                  １４：データドライバー
１２：ゲートドライバー            １６：タイミングコントローラ
４０：データＤ−ＩＣ              ４２：ロジック回路部
４４：ＤＡＣ                      ４６：出力バッファ部
４８：出力バッファ                ４９：プリチャージ部
５０：プリチャージ電圧源
【図１】
2007004109.tif 000003
【図２】
2007004109.tif 000004
【図３】
2007004109.tif 000005
【図４】
2007004109.tif 000006
【図５】
2007004109.tif 000007